(57)【要約】【課題】効率よくプランクトンを回収することができるプランクトン濃縮装置及びプランクトン濃縮システムを提供すること。【解決手段】プランクトンを含む水を導入するための水導入口と、導入された水を濾過し、プランクトンを採取するためのネットと、プランクトンを採取する採取側の裏側からネットに放水し、ネットに付着したプランクトンを洗い流すための噴水装置と、前記洗い流された前記プランクトンを集めて濃縮するための濃縮サンプル貯槽と、前記濃縮された前記プランクトンを排出するプランクトン排出口と、プランクトンが濾過された水や噴水装置から噴水されネットを洗浄した水を排出する水排出口と、を備えた濃縮槽を備え、濃縮槽内の空間がネットで分割され、ネットの採取側の濃縮槽に水導入口及びプランクトン排出口が設けられ、ネットの裏側の濃縮槽に水排出口が設けられているプランクトン濃縮装置とする。また、その装置を自動制御するようにコンピュータを設け、プランクトン濃縮システムとする。【選択図】図１
2009240274.tif 000002
【特許請求の範囲】
【請求項１】
プランクトンを含む水を導入するための水導入口と、
導入された前記水を濾過し、プランクトンを採取するためのネットと、
前記プランクトンを採取する採取側の裏側からネットに放水し、前記ネットに付着した前記プランクトンを洗い流すための噴水装置と、
前記プランクトンを濾過した前記水と、前記噴水装置から放出された前記水を排出するための水排出口と、
洗い流された前記プランクトンを集めて濃縮するための濃縮サンプル貯槽と、
前記濃縮サンプル貯槽に集めた前記プランクトンを排出するためのプランクトン排出口と、
を備えた濃縮槽を備え、
前記濃縮槽内の空間が前記ネットで分割され、前記ネットの採取側の前記濃縮槽に前記水導入口、前記濃縮サンプル貯槽及び前記プランクトン排出口が設けられ、前記ネットの裏側の前記濃縮槽に前記水排出口が設けられていることを特徴とするプランクトン濃縮装置。
【請求項２】
前記水導入口、前記プランクトン排出口、水排出口、及び噴水装置の開閉を制御する電磁弁を備えていることを特徴とする請求項１に記載のプランクトン濃縮装置。
【請求項３】
前記ネットの採取側の前記濃縮槽に、ネット洗浄水を排出するための洗浄水排出口を備えていることを特徴とする請求項１または２に記載のプランクトン濃縮装置。
【請求項４】
前記洗浄水排出口の開閉を制御する電磁弁を備えていることを特徴とする請求項３に記載のプランクトン濃縮装置。
【請求項５】
温度計、pHメーター、電気伝導度測定装置、または溶存酸素量測定装置を備えていることを特徴とする請求項１〜４のいずれかに記載のプランクトン濃縮装置。
【請求項６】
請求項１〜５のいずれかに記載のプランクトン濃縮装置と、
前記水導入口、前記水排出口、前記プランクトン排出口、噴水装置の少なくとも一つを調節する制御装置と、
を備えるプランクトン濃縮システム。
【請求項７】
請求項１に記載のプランクトン濃縮装置を使用する使用方法であって、
前記水導入口からプランクトンを含む水を導入する工程と、
前記ネットで、導入された前記水を濾過し、プランクトンを採取する工程と、
前記噴水装置で前記プランクトンを採取する採取側の裏側からネットに放水し、前記ネットに付着した前記プランクトンを洗い流す工程と、
前記水排出口より、前記プランクトンを濾過した前記水と、前記噴水装置から放出された前記水を排出する工程と、
洗い流された前記プランクトンを、前記濃縮サンプル貯槽で集めて濃縮する工程と、
前記濃縮サンプル貯槽に集めた前記プランクトンを、前記プランクトン排出口から排出する工程と、
を含む使用方法。
【請求項８】
請求項１に記載のプランクトン濃縮装置を自動運転するための制御プログラムであって、コンピュータに、
前記水導入口からプランクトンを含む水を導入するステップと、
前記ネットで、導入された前記水を濾過し、プランクトンを採取するステップと、
前記噴水装置で前記プランクトンを採取する採取側の裏側からネットに放水し、前記ネットに付着した前記プランクトンを洗い流すステップと、
前記水排出口より、前記プランクトンを濾過した前記水と、前記噴水装置から放出された前記水を排出するステップと、
洗い流された前記プランクトンを、前記濃縮サンプル貯槽で集めて濃縮するステップと、
前記濃縮サンプル貯槽に集めた前記プランクトンを、前記プランクトン排出口から排出するステップと、
を実行させる制御プログラム。
【請求項９】
請求項８に記載のプログラムを、コンピュータによって読み取り可能に格納した記憶媒体。
【発明の詳細な説明】
【技術分野】
【０００１】
本発明は、プランクトン濃縮装置に関する。
【背景技術】
【０００２】
調査目的で海水中又は湖水中のプランクトンを採取する場合、目的とする水深の水を、プランクトンネットを用いて採取することが多い。しかし、採取に専門的な知識を有する作業員が必要であり、目的にあったプランクトンの採取は容易ではない。また、人手を必要とするので、多数のサンプル採取は困難である。
【０００３】
そこで、目的の水を採取して、そこからプランクトンを濃縮、分離することにより、プランクトンを採取することができる。その際、例えば、ネットを用いて目的の水を濾過することにより、プランクトンを濃縮できる。遠心力を利用すれば、より効率よく濃縮することもできる（例えば、特許文献１参照）。
【特許文献１】特開平５−１７２７１７
【発明の開示】
【発明が解決しようとする課題】
【０００４】
しかしながら、ネットを用いた濾過の場合、ネットにプランクトンが残存するため、プランクトンが効率よく回収できなかった。  
そこで、本発明は、効率よくプランクトンを回収することができるプランクトン濃縮装置及びプランクトン濃縮システムを提供することを目的としてなされた。
【課題を解決するための手段】
【０００５】
本発明にかかるプランクトン濃縮装置は、プランクトンを含む水を導入するための水導入口と、導入された前記水を濾過し、プランクトンを採取するためのネットと、前記プランクトンを採取する採取側の裏側からネットに放水し、前記ネットに付着した前記プランクトンを洗い流すための噴水装置と、前記プランクトンを濾過した前記水と、前記噴水装置から放出された前記水を排出するための水排出口と、洗い流された前記プランクトンを集めて濃縮するための濃縮サンプル貯槽と、前記濃縮サンプル貯槽に集めた前記プランクトンを排出するプランクトン排出口と、を備えた濃縮槽を備え、前記濃縮槽内の空間が前記ネットで分割され、前記ネットの採取側の前記濃縮槽に前記水導入口及び前記プランクトン排出口が設けられ、前記ネットの裏側の前記濃縮槽に前記水排出口が設けられていることを特徴とする。この装置は、前記ネットの採取側の前記濃縮槽に、ネット洗浄水を排出するための洗浄水排出口を備えていてもよい。また、前記水導入口、前記プランクトン排出口、水排出口、前記洗浄水排出口及び噴水装置の開閉を制御する電磁弁を備えていてもよい。さらに、温度計、pHメーター、電気伝導度測定装置、または溶存酸素量測定装置を備えていてもよい。
【０００６】
さらに、本発明のプランクトン濃縮システムは、上記何れかのプランクトン濃縮装置と、前記水導入口、前記水排出口、前記プランクトン排出口、噴水装置の少なくとも一つを調節する制御装置と、を備える。
【０００７】
さらに、本発明の上記プランクトン濃縮装置を使用する使用方法は、前記水導入口からプランクトンを含む水を導入する工程と、前記ネットで、導入された前記水を濾過し、プランクトンを採取する工程と、前記噴水装置で前記プランクトンを採取する採取側の裏側からネットに放水し、前記ネットに付着した前記プランクトンを洗い流す工程と、前記水排出口より、前記プランクトンを濾過した前記水と、前記噴水装置から放出された前記水を排出する工程と、洗い流された前記プランクトンを、前記濃縮サンプル貯槽で集めて濃縮する工程と、前記濃縮サンプル貯槽に集めた前記プランクトンを、前記プランクトン排出口から排出する工程と、を含む。
【０００８】
さらに、本発明の制御プログラムは、プランクトン濃縮装置を自動運転させる制御プログラムであって、コンピュータに、前記水導入口からプランクトンを含む水を導入するステップと、前記ネットで、導入された前記水を濾過し、プランクトンを採取するステップと、前記噴水装置で前記プランクトンを採取する採取側の裏側からネットに放水し、前記ネットに付着した前記プランクトンを洗い流すステップと、前記水排出口より、前記プランクトンを濾過した前記水と、前記噴水装置から放出された前記水を排出するステップと、洗い流された前記プランクトンを、前記濃縮サンプル貯槽で集めて濃縮するステップと、前記濃縮サンプル貯槽に集めた前記プランクトンを、前記プランクトン排出口から排出するステップと、を実行させる。このプログラムを、コンピュータによって読み取り可能に格納した記憶媒体も、本発明の技術的範囲に属する。
【発明の効果】
【０００９】
本発明によって、効率よくプランクトンを回収することができるプランクトン濃縮装置及びプランクトン濃縮システムを提供することが可能になった。
【発明を実施するための最良の形態】
【００１０】
以下、図面を用いて、本発明にかかるプランクトン濃縮装置及びプランクトン濃縮システムを詳細に説明する。なお、本発明の目的、特徴、利点、及びそのアイデアは、本明細書の記載により、当業者には明らかであり、本明細書の記載から、当業者であれば、容易に本発明を再現できる。以下に記載された発明の実施の形態及び具体的な実施例などは、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。
【００１１】
＝＝プランクトン濃縮装置の基本構成＝＝
本発明にかかるプランクトン濃縮装置として、図１に示した装置を例として説明する。    このプランクトン濃縮装置は、プランクトンを濃縮するための濃縮槽１０を備え、その濃縮槽１０は、水導入口１２、ネット１４、噴水装置１６、濃縮サンプル貯槽１７、プランクトン排出口１８、水排出口２０、サンプル採取装置２４、洗浄水排出口２６を備えている。この濃縮槽内の空間は、ネット１４で分割され、ネット１４の採取側３０の濃縮槽１０に水導入口１２、濃縮サンプル貯槽１７、プランクトン排出口１８、及び洗浄水排出口２６が設けられ、ネット１４の裏側３２の濃縮槽１０に水排出口２０が設けられている。以下、各構成要素を説明する。
【００１２】
水導入口１２は、プランクトンを含む水を導入するために設けられている。導入される水は、淡水、海水、湖水など、特に限定されないが、ゴミ等を除去するために、あらかじめ、プランクトンをかろうじて通すくらいのフィルター（図示せず）で濾過しておくのが好ましく、このようなフィルターを、水導入口１２に設けてもよい。また、水を容易に導入できるよう、ポンプを設けるのが好ましい。この水導入口１２は、複数設けても構わない。
【００１３】
ネット１４は、水導入口１２から導入された水を濾過し、プランクトンを採取するために設けられ、濃縮槽１０内の空間を、プランクトンを採取する採取側３０と、その裏側３２の二つに分ける。ネット１４でプランクトンを濾過することにより、採取側３０で、プランクトンを採取し、裏側３２で、プランクトンが濾過された水を排出するためである。このネット１４は、水導入口１２から導入される、プランクトンを含む水を、全部通過させられるような構成にしておくのが好ましい。それにより、効率よく、プランクトンを採取することができる。
【００１４】
噴水装置１６は、ネット１４の裏側３２の濃縮槽に設けられ、ネット１４の裏側３２からネット１４に放水し、ネット１４に付着したプランクトンを洗い流すことができれば、どのような装置でもよい。例えば、効率よく洗浄するために、水を噴霧するヘッドが回転できるようになっているような装置が好ましいが、特に限定されることはない。噴水装置１６を複数設けてもかまわない。
【００１５】
濃縮サンプル貯槽１７は、ネット１４の洗浄側３０の濃縮槽１０に設けられ、噴水装置１６から放水される水によって洗い流されたプランクトンを、集めて濃縮するための貯槽であるが、その形態は特に限定されない。例えば、濃縮サンプル貯槽１７の上部に、外部から取り外し可能な網を設け、その網を回収したり、網を洗浄したりすることにより、プランクトンを回収してもよい。
【００１６】
プランクトン排出口１８は、ネット１４の洗浄側３０の濃縮槽１０に設けられ、濃縮サンプル貯槽１７に貯まったプランクトンが濃縮された水を、効率よく排出できれば、構成は特に限定されない。
【００１７】
水排出口２０は、ネット１４の裏側３２の濃縮槽に設けられ、そこから、プランクトンが濾過された水や噴水装置１６から放出され水が排出される。水排出口２０も、複数設けても構わない。
【００１８】
サンプル採取装置２４は、プランクトン排出口１８から排出されるプランクトンの濃縮液をサンプル瓶２６にサンプリングする。例えば、フラクション・コレクターのように、一定時間ごとに、自動で新しい試料採取濃縮槽を供給する装置でもよい。サンプルを固定する必要があるとき等、サンプル瓶２６には、あらかじめホルマリン等の固定液を入れておいてもよい。
【００１９】
＝＝プランクトン濃縮装置の他の構成＝＝
濃縮槽１０の一部をガラスやアクリル等で作製してもよく、そこで光の透過度を測定することにより、プランクトン濃度の目安が得られるようになる。その数値により、水導入口１２から、プランクトンを含む水を導入するかどうかを決めてもよい。
【００２０】
洗浄水排出口２６は、ネット１４の採取側３０の濃縮槽１０に、プランクトンを回収した後にネットを洗浄したネット洗浄水を、濃縮サンプル貯槽１７から排出するために設けられる。しかし、洗浄水排出口２６を設けず、プランクトン排出口１８を、洗浄液排出に用いてもよい。その場合は、洗浄液を排出するための大容量の洗浄液受濃縮槽（図示せず）を設け、サンプル瓶２６のかわりに洗浄液を受けるようにする。
【００２１】
プランクトン排出口１８、水排出口２０、及び洗浄水排出口２６には、電磁弁を設け、その水の出入りが調節できるように構成されているのが好ましい。
【００２２】
これらの装置以外にも、例えば、時計、温度計、pHメーター、電気伝導度測定装置、溶存酸素量測定装置、クロロフィルａ濃度測定装置等、各所の水の水質などを測定できる装置を設けてもよい。
【００２３】
＝＝プランクトン濃縮方法＝＝
以上のように構成されている濃縮装置を用いた濃縮方法の一例を以下に説明する。
【００２４】
まず、プランクトン排出口１８、水排出口２０、及び洗浄水排出口２６の弁を閉じ、水導入口１２に設けたポンプを用いて、プランクトンが含まれた水を濃縮槽に導入する。濃縮槽１０が、導入した水で満たされたとき、水排出口２０を開け、濃縮槽１０内の水を排出すると、水量が減りつつ、水がネットで濾過され、プランクトンがネット１４に補集される。所定量の水が導入された時点で、水導入口１２からの水の導入を止める。
【００２５】
濃縮槽１０内の水をほとんど排出した時、噴水装置１６から水をネットに向かって噴霧し、ネットに捕集されたプランクトンを洗い流す。プランクトンはネットに沿って落ちて行き、濃縮サンプル貯槽１７に貯まるが、一方、噴霧された水は、網を通り抜け、ネット１４の裏側３２に落ちてきて、水排出口２０から排出される。こうして、濃縮サンプル貯槽１７の中に、プランクトンが濃縮されて溜まる。このネット１４の洗浄工程は、ネット１４の目詰まりを防ぐことができ、さらなる水を濃縮槽１０に流すことができるので、プランクトンの濃縮率も高くすることができるという利点がある。
【００２６】
その後、プランクトン排出口１８の弁を開け、プランクトンが濃縮された水を、サンプル採取装置２４のサンプル瓶２６に採取する。
【００２７】
プランクトンの採取が終わったら、プランクトン排出口１８の弁を閉じ、洗浄水排出口２６の弁を開ける。噴水装置１６から水をネットに向かって噴霧し、ネットに残存するプランクトンやゴミ等を洗い流す。この逆洗により、ネット１４の目詰まりを防止することができる。濃縮槽１０内がきれいになったところで噴霧を止め、水が出切ると全ての弁を閉じ、サンプル瓶２６を新しい瓶に置き換え、次のサンプルに対して準備する。
【００２８】
＝＝自動プランクトン濃縮システム＝＝
以上のプランクトン濃縮装置、特に水導入口１２、噴水装置１６、プランクトン排出口１８、水排出口２０などが、制御装置であるコンピュータによって制御されていれば、プランクトンを採取する海水や湖水の採取から、プランクトンが濃縮された水のサンプリングや、その水質の検査まで自動化できるという点で好ましい。そこで、プランクトン濃縮装置とその装置を制御するコンピュータとで、自動プランクトン濃縮システムとする。
【００２９】
また、このコンピュータは、サンプル採取装置２４を制御してサンプリングを調節する等、このプランクトン濃縮システムの他の装置を調節しても構わない。
【００３０】
なお、コンピュータに、自動でプランクトン濃縮方法を行なわせるプログラム、及びそのプログラムを格納した記憶媒体も、本発明の技術的範囲に属する。
【図面の簡単な説明】
【００３１】
【図１】本発明による一実施の形態のプランクトン濃縮装置の全体像を示す模式図である。
【符号の説明】
【００３２】
１０  濃縮槽
１２  水導入口
１４  ネット
１６  噴水装置
１７  濃縮サンプル貯槽
１８  プランクトン排出口
２０  水排出口
２４  サンプル採取装置
２６  洗浄水排出口
３０  採取側（濃縮槽）
３２  裏側（濃縮槽）
【図１】
2009240274.tif 000003